(57)【特許請求の範囲】
【請求項１】
情報端末と携帯情報端末とウェブサーバがインターネットを介して接続して構成されるモバイルキーボードシステムであって、
前記ウェブサーバが、
セッションＩＤと連携ＩＤと携帯情報端末経由入力文字列とオフの携帯情報端末経由入力文字列更新フラグを含むレコードを記憶し、前記情報端末にセッションＩＤと情報端末用文字列入力画面を送信し、
前記情報端末が、
情報端末用文字列入力画面を表示し、
前記携帯情報端末が、
ウェブサーバに連携ＩＤと入力文字列を送信し、
前記ウェブサーバが、
受信した連携ＩＤを含むレコードについて、携帯情報端末経由入力文字列に受信した入力文字列を記憶し、前記携帯情報端末経由入力文字列更新フラグにオンを記憶し、
前記情報端末が、
前記ウェブサーバにセッションＩＤを送信し、
前記ウェブサーバが、
受信したセッションＩＤを含むレコードについて、前記携帯情報端末経由入力文字列更新フラグがオンならば、携帯情報端末経由入力文字列更新フラグにオフを記憶し、さらに前記情報端末に携帯情報端末経由入力文字列を送信し、
前記情報端末が、
文字列入力欄に受信した携帯情報端末経由入力文字列を入力する手段をそれぞれ備えることを特徴とするモバイルキーボードシステム。
【請求項２】
情報端末と携帯情報端末とウェブサーバがインターネットを介して接続して構成されるモバイルキーボードシステムであって、
前記ウェブサーバが、
セッションＩＤと連携ＩＤと空文字列の携帯情報端末経由入力文字列とオフの携帯情報端末経由入力文字列更新フラグを含むレコードを記憶し、前記情報端末にセッションＩＤと情報端末用文字列入力画面を送信し、
前記情報端末が、
情報端末用文字列入力画面を表示し、
前記携帯情報端末が、
前記ウェブサーバに連携ＩＤと入力文字列を送信し、
前記ウェブサーバが、
受信した連携ＩＤを含むレコードについて、携帯情報端末経由入力文字列に受信した入力文字列を記憶し、携帯情報端末経由入力文字列更新フラグにオンを記憶し、
前記情報端末が、
前記ウェブサーバにセッションＩＤを送信し、
前記ウェブサーバが、
受信したセッションＩＤを含むレコードについて、前記携帯情報端末経由入力文字列更新フラグがオンならば、前記携帯情報端末経由入力文字列更新フラグにオフを記憶し、未使用文字列の先頭から携帯情報端末経由入力文字列の文字数分の文字列を抽出し、前記情報端末に抽出文字列を送信し、
前記情報端末が、
文字列入力欄に受信した抽出文字列を入力し、
前記情報端末が、
前記ウェブサーバにセッションＩＤと入力文字列を送信し、
前記ウェブサーバが、
受信したセッションＩＤを含むレコードについて、前記携帯情報端末経由入力文字列を取得し、受信した情報端末経由入力文字列の各文字について、ｎが１以上携帯情報端末経由入力文字列の文字数以下の整数値について、未使用文字列のｎ文字目の文字に等しいならば、携帯情報端末経由入力文字列のｎ文字目の文字に置換する手段をそれぞれ備えることを特徴とするモバイルキーボードシステム。
【請求項３】
情報端末と携帯情報端末とウェブサーバがインターネットを介して接続して構成されるモバイルキーボードシステムであって、
前記ウェブサーバが、
セッションＩＤと連携ＩＤと空文字列の携帯情報端末経由入力文字列とオフの携帯情報端末経由入力文字列更新フラグを含むレコードを記憶し、前記情報端末にセッションＩＤと情報端末用文字列入力画面を送信し、
前記情報端末が、
情報端末用文字列入力画面を表示し、
前記携帯情報端末が、
前記ウェブサーバに連携ＩＤと入力文字列を送信し、
前記ウェブサーバが、
受信した連携ＩＤを含むレコードについて、携帯情報端末経由入力文字列に受信した入力文字列を記憶し、前記携帯情報端末経由入力文字列更新フラグにオンを記憶し、
前記情報端末が、
前記ウェブサーバにセッションＩＤを送信し、
前記ウェブサーバが、
受信したセッションＩＤを含むレコードについて、前記携帯情報端末経由入力文字列更新フラグがオンならば、前記携帯情報端末経由入力文字列更新フラグにオフを記憶し、前記情報端末に携帯情報端末経由入力文字列の文字数を送信し、
前記情報端末が、
文字列入力欄に受信した携帯情報端末経由入力文字列の文字数分の任意の文字列を入力し、文字列入力欄を入力不可能にし、
前記情報端末が、
前記ウェブサーバにセッションＩＤと入力文字列を送信し、
前記ウェブサーバが、
受信したセッションＩＤを含むレコードについて、前記携帯情報端末経由入力文字列を取得し、携帯情報端末経由入力文字列が空文字列ならば、受信した情報端末経由入力文字列をオンラインサービス処理に使用し、携帯情報端末経由入力文字列が空文字列でないならば、携帯情報端末経由入力文字列をオンラインサービス処理に使用する手段をそれぞれ備えることを特徴とするモバイルキーボードシステム。
【発明の詳細な説明】
【技術分野】
【０００１】
本発明は、パーソナルコンピュータ（以下、ＰＣ）等の情報端末の代わりに携帯電話機や携帯ゲーム機等の携帯情報端末から文字列を入力するモバイルキーボードシステムに関する。
【背景技術】
【０００２】
ネットバンキングやネットショッピングなどのオンラインサービス利用時に、文字列を入力する場面がある。例えば、ログイン認証の場面ではパスワードを入力するし、クレジットカード決済の場面ではクレジットカード番号を入力する。
しかし、ＰＣ等の情報端末のキーボードから文字列を入力すると、キーロガーにより入力文字列を盗聴される危険性がある。
そこで、キーロガー対策をしたキーボードとして、特許文献１に記載されているソフトウェアキーボードがある。ソフトウェアキーボードでは、画面に表示される仮想キーボードをマウスでクリックすることで入力を行なえる。
また、ＰＣ等の情報端末のキーボードに慣れていないオンラインサービス利用者でも、ソフトウェアキーボードから英数字記号を入力するのは、簡単である。
【０００３】
【特許文献１】特開２００４−１３３７６号公報
【発明の開示】
【発明が解決しようとする課題】
【０００４】
しかしながら、ソフトウェアキーボードから文字列を入力しても、スクリーンスクラッパーにより画面を盗撮されることで、仮想キーボードのキー配列とマウスクリック時のカーソル位置から、入力文字列を推測される危険性がある。このように、スパイウェアの脅威にさらされているＰＣ等の情報端末から文字列を入力するのは、危険であるという問題点がある。
また、ソフトウェアキーボードから日本語を入力するのは、面倒であるという問題点がある。
【０００５】
そこで本発明は、上記の問題点を解決することで、ＰＣ等の情報端末への文字列の入力に関して、操作性と安全性を向上することができるモバイルキーボードシステムを提供することを目的とする。
【課題を解決するための手段】
【０００６】
上記目的を達成するために、本発明に係るモバイルキーボードシステムは、情報端末と携帯情報端末とウェブサーバがインターネットを介して接続して構成されるモバイルキーボードシステムであって、
前記ウェブサーバが、
セッションＩＤと連携ＩＤと携帯情報端末経由入力文字列とオフの携帯情報端末経由入力文字列更新フラグを含むレコードを記憶し、前記情報端末にセッションＩＤと情報端末用文字列入力画面を送信し、
前記情報端末が、
情報端末用文字列入力画面を表示し、
前記携帯情報端末が、
ウェブサーバに連携ＩＤと入力文字列を送信し、
前記ウェブサーバが、
受信した連携ＩＤを含むレコードについて、携帯情報端末経由入力文字列に受信した入力文字列を記憶し、前記携帯情報端末経由入力文字列更新フラグにオンを記憶し、
前記情報端末が、
前記ウェブサーバにセッションＩＤを送信し、
前記ウェブサーバが、
受信したセッションＩＤを含むレコードについて、前記携帯情報端末経由入力文字列更新フラグがオンならば、携帯情報端末経由入力文字列更新フラグにオフを記憶し、さらに前記情報端末に携帯情報端末経由入力文字列を送信し、
前記情報端末が、
文字列入力欄に受信した携帯情報端末経由入力文字列を入力する手段をそれぞれ備えることを特徴とする。
【０００７】
また、情報端末と携帯情報端末とウェブサーバがインターネットを介して接続して構成されるモバイルキーボードシステムであって、
前記ウェブサーバが、
セッションＩＤと連携ＩＤと空文字列の携帯情報端末経由入力文字列とオフの携帯情報端末経由入力文字列更新フラグを含むレコードを記憶し、前記情報端末にセッションＩＤと情報端末用文字列入力画面を送信し、
前記情報端末が、
情報端末用文字列入力画面を表示し、
前記携帯情報端末が、
前記ウェブサーバに連携ＩＤと入力文字列を送信し、
前記ウェブサーバが、
受信した連携ＩＤを含むレコードについて、携帯情報端末経由入力文字列に受信した入力文字列を記憶し、携帯情報端末経由入力文字列更新フラグにオンを記憶し、
前記情報端末が、
前記ウェブサーバにセッションＩＤを送信し、
前記ウェブサーバが、
受信したセッションＩＤを含むレコードについて、前記携帯情報端末経由入力文字列更新フラグがオンならば、前記携帯情報端末経由入力文字列更新フラグにオフを記憶し、未使用文字列の先頭から携帯情報端末経由入力文字列の文字数分の文字列を抽出し、前記情報端末に抽出文字列を送信し、
前記情報端末が、
文字列入力欄に受信した抽出文字列を入力し、
前記情報端末が、
前記ウェブサーバにセッションＩＤと入力文字列を送信し、
前記ウェブサーバが、
受信したセッションＩＤを含むレコードについて、前記携帯情報端末経由入力文字列を取得し、受信した情報端末経由入力文字列の各文字について、ｎが１以上携帯情報端末経由入力文字列の文字数以下の整数値について、未使用文字列のｎ文字目の文字に等しいならば、携帯情報端末経由入力文字列のｎ文字目の文字に置換する手段をそれぞれ備えることを特徴とする。
【０００８】
また、情報端末と携帯情報端末とウェブサーバがインターネットを介して接続して構成されるモバイルキーボードシステムであって、
前記ウェブサーバが、
セッションＩＤと連携ＩＤと空文字列の携帯情報端末経由入力文字列とオフの携帯情報端末経由入力文字列更新フラグを含むレコードを記憶し、前記情報端末にセッションＩＤと情報端末用文字列入力画面を送信し、
前記情報端末が、
情報端末用文字列入力画面を表示し、
前記携帯情報端末が、
前記ウェブサーバに連携ＩＤと入力文字列を送信し、
前記ウェブサーバが、
受信した連携ＩＤを含むレコードについて、携帯情報端末経由入力文字列に受信した入力文字列を記憶し、前記携帯情報端末経由入力文字列更新フラグにオンを記憶し、
前記情報端末が、
前記ウェブサーバにセッションＩＤを送信し、
前記ウェブサーバが、
受信したセッションＩＤを含むレコードについて、前記携帯情報端末経由入力文字列更新フラグがオンならば、前記携帯情報端末経由入力文字列更新フラグにオフを記憶し、前記情報端末に携帯情報端末経由入力文字列の文字数を送信し、
前記情報端末が、
文字列入力欄に受信した携帯情報端末経由入力文字列の文字数分の任意の文字列を入力し、文字列入力欄を入力不可能にし、
前記情報端末が、
前記ウェブサーバにセッションＩＤと入力文字列を送信し、
前記ウェブサーバが、
受信したセッションＩＤを含むレコードについて、前記携帯情報端末経由入力文字列を取得し、携帯情報端末経由入力文字列が空文字列ならば、受信した情報端末経由入力文字列をオンラインサービス処理に使用し、携帯情報端末経由入力文字列が空文字列でないならば、携帯情報端末経由入力文字列をオンラインサービス処理に使用する手段をそれぞれ備えることを特徴とする。
【発明の効果】
【０００９】
本発明によれば、普段使い慣れている携帯電話機や携帯ゲーム機等の携帯情報端末から文字列を入力して、ＰＣ等の情報端末の文字列入力欄に携帯情報端末経由入力文字列が入力されることで、ＰＣ等の情報端末への文字列の入力に関して操作性が向上する。
また、スパイウェアの脅威にあまりさらされていない携帯電話機や携帯ゲーム機等の携帯情報端末から文字列を入力して、ＰＣ等の情報端末の文字列入力欄に未使用文字列の先頭から携帯情報端末経由入力文字列の文字数分の文字列が入力されて、ウェブサーバで情報端末経由入力文字列に含まれる未使用文字列の文字が携帯情報端末経由入力文字列の文字に置換されることで、ＰＣ等の情報端末への文字列の入力に関して安全性が向上する。
また、スパイウェアの脅威にあまりさらされていない携帯電話機や携帯ゲーム機等の携帯情報端末から文字列を入力して、ＰＣ等の情報端末の文字列入力欄に携帯情報端末経由入力文字列の文字数分の任意の文字列が入力されて、ウェブサーバでセッションＩＤを含むレコードについて携帯情報端末経由入力文字列を取得することで、ＰＣ等の情報端末への文字列の入力に関して安全性が向上する。
【発明を実施するための最良の形態】
【００１０】
以下、本発明に係るモバイルキーボードシステムの実施の形態について、図面を参照しながら説明する。
図１において、本実施形態のモバイルキーボードシステムは、情報端末１と携帯情報端末２とウェブサーバ３が、インターネットを介して接続して構成される。
情報端末１と携帯情報端末２は、ウェブブラウザを搭載している。ウェブサーバ３は、データベース４を内蔵している。情報端末１は例えばＰＣであり、携帯情報端末２は携帯電話機や携帯ゲーム機である。
携帯情報端末２は、情報端末１と同一ユーザが使用するものである。
【００１１】
図２は、データベース４におけるセッションテーブルの記憶内容の一例を示す図である。
図２において、セッションテーブルのカラムは、セッションＩＤ（２１）と連携ＩＤ（２２）と携帯情報端末経由入力文字列（２３）と携帯情報端末経由入力文字列更新フラグ（２４）である。
セッションＩＤ（２１）は、ウェブサーバ３が情報端末１を識別するためのＩＤであり、ユニーク制約のあるカラムである。
連携ＩＤ（２２）は、ウェブサーバ３が情報端末１と携帯情報端末２の対応関係を識別するためのＩＤであり、ユニーク制約のあるカラムである。
携帯情報端末経由入力文字列（２３）は、ウェブサーバ３が携帯情報端末２から受信する入力文字列である。
携帯情報端末経由入力文字列更新フラグ（２４）は、ウェブサーバ３が携帯情報端末２から携帯情報端末経由入力文字列を受信するとオンになり、ウェブサーバ３が情報端末１に携帯情報端末経由入力文字列または抽出文字列を送信するとオフになるフラグである。
【００１２】
本発明のモバイルキーボードシステムの処理のうち、情報端末１に入力文字列が表示される場合の処理の一例について、図３を参照しながら説明する。
最初に、ステップ３０１において、情報端末１が、ウェブサーバ３に接続する。
次に、ステップ３０２において、ウェブサーバ３が、情報端末１から接続されて、データベース４のセッションテーブルのユニーク制約を満たすようにセッションＩＤ（２１）と連携ＩＤ（２２）をランダムに生成し、データベース４のセッションテーブルに生成したセッションＩＤ（２１）と生成した連携ＩＤ（２２）と空文字列の携帯情報端末経由入力文字列（２３）とオフの携帯情報端末経由入力文字列更新フラグ（２４）を含むレコードを記憶し、情報端末１にセッションＩＤ（２１）と情報端末用文字列入力画面（文字列入力欄と送信ボタンと連携ＩＤ表示欄から構成される画面）を送信する。
情報端末用文字列入力画面の一例を図４に示す。
【００１３】
次に、ステップ３０３において、情報端末１が、ウェブサーバ３からセッションＩＤ（２１）と情報端末用文字列入力画面を受信して、セッションＩＤ（２１）を記憶して、情報端末用文字列入力画面を表示する。
次に、ステップ３０４において、携帯情報端末２が、ウェブサーバ３に接続する。
次に、ステップ３０５において、ウェブサーバ３が、携帯情報端末２から接続されて、携帯情報端末２に連携ＩＤ入力画面（連携ＩＤ入力欄と送信ボタンから構成される画面）を送信する。連携ＩＤ入力画面の一例を図５に示す。
【００１４】
次に、ステップ３０６において、携帯情報端末２が、ウェブサーバ３から連携ＩＤ入力画面を受信して表示して、オンラインサービス利用者によって連携ＩＤを入力されて送信ボタンを押下されて、ウェブサーバ３に連携ＩＤを送信する。
【００１５】
次に、ステップ３０７において、ウェブサーバ３が、携帯情報端末２から連携ＩＤ（２２）を受信して、携帯情報端末２に連携ＩＤと携帯情報端末用文字列入力画面（文字列入力欄と送信ボタンから構成される画面）を送信する。携帯情報端末用文字列入力画面の一例を図６に示す。
【００１６】
次に、ステップ３０８において、携帯情報端末２が、ウェブサーバ３から連携ＩＤと携帯情報端末用文字列入力画面を受信して、携帯情報端末用文字列入力画面を表示して、オンラインサービス利用者によって文字列を入力されて送信ボタンを押下されて、ウェブサーバ３に連携ＩＤ（２２）と入力文字列（２３）を送信する。
【００１７】
次に、ステップ３０９において、ウェブサーバ３が、携帯情報端末２から連携ＩＤ（２２）と入力文字列（２３）を受信して、データベース４のセッションテーブルの受信した連携ＩＤ（２２）を含むレコードについて、携帯情報端末経由入力文字列（２３）に受信した入力文字列（２３）を記憶して、携帯情報端末経由入力文字列更新フラグ（２４）にオンを記憶する。
【００１８】
次に、ステップ３１０において、情報端末１が、一定時間間隔毎に、ウェブサーバ３にセッションＩＤを送信する。
【００１９】
次に、ステップ３１１において、ウェブサーバ３が、情報端末１からセッションＩＤを受信して、データベース４のセッションテーブルの受信したセッションＩＤを含むレコードについて、携帯情報端末経由入力文字列更新フラグ（２４）がオンならば、携帯情報端末経由入力文字列更新フラグ（２４）にオフを記憶して、情報端末１に携帯情報端末経由入力文字列を送信する。
【００２０】
次に、ステップ３１２において、情報端末１が、ウェブサーバ３から携帯情報端末経由入力文字列（２３）を受信して、文字列入力欄に携帯情報端末経由入力文字列を入力する。
次に、ステップ３１３において、情報端末１が、オンラインサービス利用者によって送信ボタンを押下されて、ウェブサーバ３に入力文字列を送信する。
最後に、ステップ３１４において、ウェブサーバ３が、情報端末１から入力文字列を受信して、受信した情報端末経由入力文字列をオンラインサービス処理に使用する。
【００２１】
本発明のモバイルキーボードシステムの処理のうち、情報端末１に入力文字列が表示されない場合の処理の一例について、図７を参照しながら説明する。
ただし、未使用文字列を、文字が入力文字列の文字以外から構成されて、文字数が入力文字列の最大文字数と等しくて、各文字が互いに異なる文字から構成される文字列とする。
例えば、入力文字列がパスワードで、パスワードの文字が英数字から構成されて、パスワードの最大文字数が１２文字の場合、未使用文字列は!"#$%&'()=~|である。
例えば、入力文字列がクレジットカード番号で、クレジットカード番号の文字が数字から構成されて、クレジットカード番号の最大文字数が１６文字の場合、未使用文字列はABCDEFGHIJKLMNOPである。
情報端末に入力文字列が表示されない場合の処理は、情報端末に入力文字列が表示される場合の処理を基に、次に説明するステップ７０１〜７０４の処理を追加して、ステップ３０１〜３１０，７０１〜７０４の処理を順番に実行すればよい。
【００２２】
ステップ７０１において、ウェブサーバ３が、情報端末１からセッションＩＤ（２１）を受信して、データベース４のセッションテーブルの受信したセッションＩＤを含むレコードについて、携帯情報端末経由入力文字列更新フラグ（２４）がオンならば、携帯情報端末経由入力文字列更新フラグ（２４）にオフを記憶して、未使用文字列の先頭から携帯情報端末経由入力文字列の文字数分の文字列を抽出して、情報端末１に抽出文字列を送信する。
ステップ７０２において、情報端末１が、ウェブサーバ３から抽出文字列を受信して、文字列入力欄に抽出文字列を入力する。
【００２３】
ステップ７０３において、情報端末１が、オンラインサービス利用者によって送信ボタンを押下されて、ウェブサーバ３にセッションＩＤと入力文字列を送信する。
ステップ７０４において、ウェブサーバ３が、情報端末１からセッションＩＤ（２１）と入力文字列を受信して、データベース４のセッションテーブルの受信したセッションＩＤ（２１）を含むレコードについて、携帯情報端末経由入力文字列を取得して、受信した情報端末経由入力文字列の各文字について、ｎが１以上携帯情報端末経由入力文字列の文字数以下の整数値について、未使用文字列のｎ文字目の文字に等しいならば、携帯情報端末経由入力文字列のｎ文字目の文字に置換して、置換後文字列をオンラインサービス処理に使用する。
【００２４】
入力文字列がクレジットカード番号の場合における各文字列の一例について、以下に示す。ただし、ステップ７０２とステップ７０３の間において、情報端末１が、オンラインサービス利用者によって文字列を入力されない場合である。
・携帯情報端末経由入力文字列：1234567890123456
・抽出文字列：ABCDEFGHIJKLMNOP
・情報端末経由入力文字列：ABCDEFGHIJKLMNOP
・置換後文字列：1234567890123456
【００２５】
入力文字列がパスワードの場合の各文字列の一例について、以下に示す。ただし、ステップ７０２とステップ７０３の間において、情報端末１が、オンラインサービス利用者によって先頭から３文字分の文字列を削除されて、先頭に文字列passを入力される場合である。
・携帯情報端末経由入力文字列：bugword
・抽出文字列：!"#$%&'
・情報端末経由入力文字列：pass$%&'
・置換後文字列：password
【００２６】
本発明のモバイルキーボードシステムの処理のうち、情報端末１に入力文字列が表示されない場合の処理の一例について、図８を参照しながら説明する。
情報端末１に入力文字列が表示されない場合の処理は、情報端末１に入力文字列が表示される場合の処理を基に、次に説明するステップ８０１〜８０４の処理を追加して、ステップ３０１〜３１０，８０１〜８０４の処理を順番に実行すればよい。
【００２７】
ステップ８０１において、ウェブサーバ３が、情報端末１からセッションＩＤを受信して、データベース４のセッションテーブルの受信したセッションＩＤ（２１）を含むレコードについて、携帯情報端末経由入力文字列更新フラグ（２４）がオンならば、携帯情報端末経由入力文字列更新フラグ（２４）にオフを記憶して、情報端末１に携帯情報端末経由入力文字列（２３）の文字数を送信する。
ステップ８０２において、情報端末１が、ウェブサーバ３から携帯情報端末経由入力文字列の文字数を受信して、文字列入力欄に携帯情報端末経由入力文字列の文字数分の任意の文字列を入力して、文字列入力欄を入力不可能にする。
【００２８】
ステップ８０３において、情報端末１が、オンラインサービス利用者によって送信ボタンを押下されて、ウェブサーバ３にセッションＩＤと入力文字列を送信する。
ステップ８０４において、ウェブサーバ３が、情報端末１からセッションＩＤ（２１）と入力文字列を受信して、データベース４のセッションテーブルの受信したセッションＩＤ（２１）を含むレコードについて、携帯情報端末経由入力文字列（２３）を取得して、携帯情報端末経由入力文字列（２３）が空文字列ならば、受信した情報端末経由入力文字列をオンラインサービス処理に使用して、携帯情報端末経由入力文字列が空文字列でないならば、携帯情報端末経由入力文字列をオンラインサービス処理に使用する。
【００２９】
以上の例では、オンラインサービス利用者が携帯情報端末２に連携ＩＤを入力する必要があったが、情報端末１から携帯情報端末２への情報受渡手段を利用することで、これを不要にできる。
例えば、情報端末１が、情報端末用文字列入力画面にＱＲコード（ウェブサーバ３のＵＲＬに連携ＩＤのクエリストリングを連結した文字列をエンコード）を表示する。
そして、携帯情報端末２が、ＱＲコードを読み取って、デコードしたＵＲＬに接続して、ウェブサーバ３にクエリストリングとして連携ＩＤを送信する。
【図面の簡単な説明】
【００３０】
【図１】本発明のモバイルキーボードシステムの実施形態を示すシステム構成図である。
【図２】データベースのセッションテーブルの一例を示す図である。
【図３】本発明のモバイルキーボードシステムの処理のうち、情報端末に入力文字列が表示される場合の処理の一例を示す図である。
【図４】情報端末用文字列入力画面の一例を示す図である。
【図５】連携ＩＤ入力画面の一例を示す図である。
【図６】携帯情報端末用文字列入力画面の一例を示す図である。
【図７】本発明のモバイルキーボードシステムの処理のうち、情報端末に入力文字列が表示されない場合の処理の一例を示す図である。
【図８】本発明のモバイルキーボードシステムの処理のうち、情報端末に入力文字列が表示されない場合の処理の一例を示す図である。
【符号の説明】
【００３１】
１  情報端末
２  携帯情報端末
３  ウェブサーバ
４  データベース
【図１】
0004949182.tif 000002
【図２】
0004949182.tif 000003
【図３】
0004949182.tif 000004
【図４】
0004949182.tif 000005
【図５】
0004949182.tif 000006
【図６】
0004949182.tif 000007
【図７】
0004949182.tif 000008
【図８】
0004949182.tif 000009